(57)【特許請求の範囲】
【請求項１】
循環ポンプにより蓄熱タンクに貯められた熱媒体を循環させ、前記熱媒体との熱交換により給水を目標温度に加熱し、一般給湯端末及び浴槽で給湯される湯を供給する湯供給部と、
前記一般給湯端末へ向けて湯を流す一般給湯回路と、
前記浴槽へ向けて湯を流す浴槽給湯回路と、
前記湯供給部の下流で一般給湯回路と浴槽給湯回路とに分岐する分岐部と、
開度に応じて流量を調整する流量調整弁と、
前記流量調整弁の開度を制御するコントローラと、
前記湯供給部と前記分岐部との間に設けられた給湯温度センサとを備え、
前記流量調整弁は、前記一般給湯回路と前記浴槽給湯回路とのうち、前記浴槽給湯回路にのみ設けられ、
前記コントローラは、前記給湯温度センサが検出する給湯温度に基づいて、前記一般給湯端末と浴槽とに同時に湯を供給する際に前記給湯温度が前記目標温度に満たない場合、前記流量調整弁を閉方向に制御することを特徴とする給湯機。
【請求項２】
前記湯供給部は、前記一般給湯回路と浴槽給湯回路との共用部分に配置されることを特徴とする請求項１に記載の給湯機。
【請求項３】
前記流量調整弁は、前記一般給湯端末と浴槽とに同時に湯を供給する際に、全開状態よりも小さい所定の同時給湯時上限開度以下で開度制御され、
前記コントローラは、前記一般給湯端末と浴槽とに同時に湯を供給する状態を検知すると、前記流量調整弁を前記同時給湯時上限開度に開度制御し、さらに、前記湯供給部の給湯能力が不足する場合、前記流量調整弁を閉方向に制御することを特徴とする請求項１に記載の給湯機。
【請求項４】
前記流量調整弁は、前記一般給湯端末と浴槽とに同時に湯を供給する際に、全閉状態よりも大きい所定の同時給湯時下限開度以上で開度制御され、
前記コントローラは、前記流量調整弁の開度が前記同時給湯時下限開度の状態において前記湯供給部の給湯能力が不足する場合、前記流量調整弁を閉とすることを特徴とする請求項１に記載の給湯機。
【請求項５】
前記コントローラは、一般給湯設定温度が浴槽給湯設定温度を含む所定の温度範囲内である場合には、前記一般給湯端末と浴槽とに同時に湯を供給し、一般給湯設定温度が前記所定の温度範囲外である場合には、前記流量調整弁を閉とすることを特徴とする請求項１に記載の給湯機。
【請求項６】
循環ポンプにより蓄熱タンクに貯められた熱媒体を循環させ、前記熱媒体との熱交換により給水を目標温度に加熱し、一般給湯端末及び浴槽で給湯される湯を供給する湯供給部と、
前記一般給湯端末へ向けて湯を流す一般給湯回路と、
前記浴槽へ向けて湯を流す浴槽給湯回路と、
前記湯供給部の下流で一般給湯回路と浴槽給湯回路とに分岐する分岐部と、
開度に応じて流量を調整する流量調整弁と、
前記流量調整弁の開度を制御するコントローラと、
前記湯供給部と前記分岐部との間に設けられた給湯温度センサとを備え、
前記流量調整弁は、前記一般給湯回路と前記浴槽給湯回路とのうち、前記浴槽給湯回路にのみ設けられ、
前記コントローラは、前記給湯温度センサが検出する給湯温度に基づいて、前記一般給湯端末と浴槽とに同時に湯を供給する際に前記給湯温度が前記目標温度に満たない場合、一般給湯を浴槽給湯よりも優先するように前記流量調整弁を制御することを特徴とする給湯機。
【発明の詳細な説明】
【技術分野】
【０００１】
本発明は、給湯機に関する。
【背景技術】
【０００２】
従来、一般給湯端末に湯を供給する一般給湯回路と、浴槽に湯を供給する浴槽給湯回路と、一般給湯端末及び浴槽に供給される湯を供給する湯供給部と、前記浴槽給湯回路に配置される流量調整弁と、前記流量調整弁の開度を制御するコントローラとを備え、流量調整弁が一般給湯回路と浴槽給湯回路との分岐部よりも上流側に配置される給湯機が提案されている。
【先行技術文献】
【特許文献】
【０００３】
【特許文献１】特許第４１０１１９０号公報
【発明の概要】
【発明が解決しようとする課題】
【０００４】
ところで、上記従来の給湯機において、一般給湯回路と浴槽給湯回路に同時に給湯要求があった際など、要求される湯量・温度によって給湯熱交換器の能力が不足する場合には、前記流量調整弁を絞り、給湯量を少なくすることが考えられる。
【０００５】
しかしながら、上記従来の給湯機では、流量調整弁が一般給湯回路と浴槽給湯回路との分岐部よりも上流側に配置されるものであるため、流量調整弁を絞ると、一般給湯回路及び浴槽給湯回路の両方への給湯量が減少してしまうことになる。従って、一般給湯端末を使用している使用者が給湯量の減少を認識しやすく、使用者が不便さを感じるおそれがある。
【０００６】
そこで、本発明は、一般給湯と浴槽給湯とを同時に行う際に湯供給部の給湯能力が不足する場合であっても、一般給湯端末を使用している使用者が不便さを感じるのを防止又は軽減することができる給湯機を提供することを目的とする。
【課題を解決するための手段】
【０００７】
上記目的は、循環ポンプにより蓄熱タンクに貯められた熱媒体を循環させ、前記熱媒体との熱交換により給水を目標温度に加熱し、一般給湯端末及び浴槽で給湯される湯を供給する湯供給部と、前記一般給湯端末へ向けて湯を流す一般給湯回路と、前記浴槽へ向けて湯を流す浴槽給湯回路と、前記湯供給部の下流で一般給湯回路と浴槽給湯回路とに分岐する分岐部と、開度に応じて流量を調整する流量調整弁と、前記流量調整弁の開度を制御するコントローラと、前記湯供給部と前記分岐部との間に設けられた給湯温度センサとを備え、前記流量調整弁は、前記一般給湯回路と前記浴槽給湯回路とのうち、前記浴槽給湯回路にのみ設けられ、前記コントローラは、前記給湯温度センサが検出する給湯温度に基づいて、前記一般給湯端末と浴槽とに同時に湯を供給する際に前記給湯温度が前記目標温度に満たない場合、前記流量調整弁を閉方向に制御することを特徴とする給湯機により達成される。
【０００８】
上記目的は、循環ポンプにより蓄熱タンクに貯められた熱媒体を循環させ、前記熱媒体との熱交換により給水を目標温度に加熱し、一般給湯端末及び浴槽で給湯される湯を供給する湯供給部と、前記一般給湯端末へ向けて湯を流す一般給湯回路と、前記浴槽へ向けて湯を流す浴槽給湯回路と、前記湯供給部の下流で一般給湯回路と浴槽給湯回路とに分岐する分岐部と、開度に応じて流量を調整する流量調整弁と、前記流量調整弁の開度を制御するコントローラと、前記湯供給部と前記分岐部との間に設けられた給湯温度センサとを備え、前記流量調整弁は、前記一般給湯回路と前記浴槽給湯回路とのうち、前記浴槽給湯回路にのみ設けられ、前記コントローラは、前記給湯温度センサが検出する給湯温度に基づいて、前記一般給湯端末と浴槽とに同時に湯を供給する際に前記給湯温度が前記目標温度に満たない場合、一般給湯を浴槽給湯よりも優先するように前記流量調整弁を制御することを特徴とする給湯機により達成される。
【発明の効果】
【０００９】
本発明によれば、一般給湯と浴槽給湯とを同時に行う際に湯供給部の給湯能力が不足する場合であっても、一般給湯端末を使用している使用者が不便さを感じるのを防止又は軽減することができる。
【図面の簡単な説明】
【００１０】
【図１】本実施形態に係る給湯機の全体回路図である。
【図２】本実施形態に係る給湯機における沸き上げモードおよびタンク自動給水を示す回路図である。
【図３】本実施形態に係る給湯機における一般給湯モードを示す回路図である。
【図４】本実施形態に係る給湯機における浴槽給湯モードを示す回路図である。
【図５】本実施形態に係る給湯機における一般給湯及び浴槽給湯の同時給湯モードを示す回路図である。
【図６】本実施形態に係る給湯機における追焚きモードを示す回路図である。
【図７】本実施形態に係る給湯機における浴槽給湯回路への湯水供給制御を示すフロー図である。
【図８】本実施形態に係る給湯機における浴槽給湯回路への湯水供給開始時の制御フロー図である。
【図９】本実施形態に係る給湯機における浴槽給湯回路への湯水供給停止時の制御フロー図である。
【図１０】本実施形態に係る給湯機における浴槽給湯中に一般給湯が開始された際の制御フロー図である。
【図１１】本実施形態に係る給湯機における一般給湯中に浴槽給湯が開始された際の制御フロー図である。
【発明を実施するための形態】
【００１１】
以下、本実施形態の給湯機１について図面を参照して説明する。
【００１２】
図１に示すように、本実施形態の給湯機１は、蓄熱タンクユニット２，ヒートポンプユニット（加熱手段）３を含んで構成されている。
【００１３】
蓄熱タンクユニット２は、蓄熱タンク１０，一般給湯回路２０，浴槽給湯回路３０，給湯用加熱回路４０，給湯熱交換器（給湯用熱交換器）５０，浴槽水循環回路６０，追焚き熱交換器（浴槽用熱交換器）７０，熱媒体導入回路８０，逃し弁９０，コントローラ１００などで構成されている。なお、前記給湯熱交換器５０は、給水を加熱する熱交換器であり、湯供給部として機能する。
【００１４】
ヒートポンプユニット３は、図示していないが、例えば、冷媒（例えば、二酸化炭素）を圧縮して高温・高圧にするコンプレッサと、コンプレッサからの冷媒を凝縮させるとともに蓄熱タンク１０からの水を熱交換することによって加熱するコンデンサと、コンデンサからの冷媒を膨張させる膨張弁と、大気中の熱を吸熱して膨張した冷媒を蒸発させるエバポレータと、を備えて構成されている。
【００１５】
また、ヒートポンプユニット３は、その熱媒体入口がヒートポンプ往き管４を介して蓄熱タンク１０の下部と接続され、熱媒体出口がヒートポンプ戻り管５を介して蓄熱タンク１０の上部に接続されている。なお、図示していないが、例えばヒートポンプユニット３側には、蓄熱タンク１０とヒートポンプユニット３との間において蓄熱タンク１０内の熱媒体を循環させる循環ポンプが設けられている。
【００１６】
また、ヒートポンプ往き管４の途中には、配管６を介してヒートポンプ戻り管５が接続され、ヒートポンプ往き管４と配管６との接続部に三方弁７が設けられている。コントローラ１００によって、蓄熱タンクユニット２の外部に位置するヒートポンプ往き管４およびヒートポンプ戻り管５が凍結するおそれがあると判断されたときには、三方弁７を切り換えるとともにヒートポンプユニット３および循環ポンプ（不図示）を作動させて、ヒートポンプユニット３で温められた冷媒をヒートポンプ戻り管５，配管６，ヒートポンプ往き管４を流れるように循環させる。これにより、蓄熱タンクユニット２の外側の外気に曝されている配管の凍結を防止できるようになっている。
【００１７】
なお、蓄熱タンク１０内の湯水を加熱するための熱源ユニットとしてヒートポンプユニット３を例に挙げて説明したが、これに限定されるものではなく、例えば電気ヒータによるものであってもよい。
【００１８】
蓄熱タンク１０は、熱媒体として湯水を溜める密閉式のタンクであり、縦長の円筒形状を呈している。また、蓄熱タンク１０は、保温性能向上のため、その周囲が発泡スチロールなどの断熱材などで覆われている。
【００１９】
また、蓄熱タンク１０には、異なる高さ位置での熱媒体（湯水）の温度を検知する複数のタンク温度センサ１１〜１５が設けられている。具体的には、蓄熱タンク１０には、上部から下部にかけて５つのタンク温度センサ１１〜１５が設けられている。これにより、コントローラ１００によって、蓄熱タンク１０内の湯水の温度分布を把握できるようになっている。
【００２０】
一般給湯回路２０は、一般給湯端末Ａに湯を供給する流路であり、給水管（給水回路）２１と給湯管２２とで構成されている。
【００２１】
給水管２１は、上流端が給水源に接続され、下流端が後記する給湯熱交換器５０の二次側の給水の入口５１ａに接続されている。
【００２２】
給湯管２２は、上流端が給湯熱交換器５０の二次側の給湯の出口５１ｂに接続され、下流端が各種の一般給湯端末Ａに接続されている。また給湯管２２には、上流側から順に、流量センサ２３，アキュムレータ２４が設けられている。なお、一般給湯端末Ａとは、台所、洗面所、風呂場などの蛇口やシャワー等であり、供給された湯を一度利用して完了するような利用形態のものを意味している。
【００２３】
流量センサ２３は、給湯管２２を流れる湯の流量（一般給湯端末Ａに供給される湯の流量）を検出するものであり、検出される流量に合わせて後記する給湯循環ポンプ４４のモータの回転速度を調整する。例えば、給湯温度が４０℃に設定されているのであれば、４０℃になるように給湯循環ポンプ４４の回転速度を調整して給湯する。
【００２４】
アキュムレータ２４は、蛇口やシャワーなどから出湯したときに、湯をなましてから（湯の温度を下げてから）出湯させるバッファとしての機能を有している。
【００２５】
また、給水管２１には、給湯熱交換器５０の上流側に給水温度センサ２５が設けられ、給湯管２２には、給湯温度センサ２６が設けられている。給水温度センサ２５は、給湯熱交換器５０に導入される前の給水の温度を検知するものである。給湯温度センサ２６は、給湯熱交換器５０から放出される給湯の温度を検知するものである。
【００２６】
浴槽給湯回路３０は、浴槽Ｂに湯を供給する流路であり、給水管２１と、風呂注湯管３１〜３５と、風呂戻り管６１とで構成されている。
【００２７】
ところで、前記一般給湯回路２０と浴槽給湯回路３０とは、前記給湯熱交換器５０を共用している。即ち、前記給湯熱交換器５０は、前記一般給湯回路２０と浴槽給湯回路３０との共用部分に配置される。また、前記一般給湯回路２０と浴槽給湯回路３０とは、給湯熱交換器５０より下流側で分岐してそれぞれ一般給湯端末Ａと浴槽Ｂとに接続される。具体的には、浴槽給湯回路３０の給水管２１は、一般給湯回路２０の給水管２１と共有の配管となっている。また、風呂注湯管３１は、給湯管２２の一部と共有の配管となっており、分岐部Ｓを介して一般給湯端末Ａ，浴槽Ｂに延びている。また、風呂戻り管６１は、後記する浴槽水循環回路６０の共有の配管となっている。
【００２８】
前記流量調整弁３６は、一般給湯回路２０と浴槽給湯回路３０との分岐部Ｓよりも下流側に配置される。このようにすることにより、一般給湯端末Ａへ給湯している場合であっても、浴槽Ｂへの給湯量のみを選択的に絞ることが可能となる。具体的には、風呂注湯管３１には、上流側から順に、流量調整弁３６，風呂注湯管３２，電磁弁３７，風呂注湯管３３，風呂循環ポンプ３８，風呂注湯管３４，循環調整弁（流量調整弁）３９，風呂注湯管３５を介して浴槽Ｂに接続されている。また、風呂注湯管３３には、流量センサ３３ａが設けられている。
【００２９】
流量調整弁３６は、風呂注湯管３１〜３５に流れる湯の流量を調整するものである。流量調整弁３６は、コントローラ１００からの指令によって開度調整される。例えば、一般給湯を使用せず浴槽給湯のみ（湯張りのみ）の場合には、流量が最大になるように流量調整弁３６を調整し、また浴槽給湯時に一般給湯を使用する場合には、風呂注湯管３１〜３５の流量が少なくなるようにまたは流量がゼロになるように流量調整弁３６を調整する。
【００３０】
電磁弁３７は、電磁作動式の遮断弁であり、コントローラ１００からの指令によって開閉制御される。電磁弁３７を閉じることにより、浴槽Ｂへの給湯が遮断される。なお、電磁弁３７には、浴槽水が一般給湯回路２０に逆流しないように逆流防止機能（逆止弁など）を備えている。
【００３１】
風呂循環ポンプ３８は、追焚きモード時に駆動されるものであり、浴槽Ｂに張られた浴槽水を後記する浴槽用熱交換器７０との間で循環させる機能を有している。
【００３２】
循環調整弁３９は、風呂注湯管３４から風呂注湯管３５への流量、風呂注湯管３４から後記する浴槽水循環回路６０の追焚き熱交換器往き管６２への流量を調整することができる機能を有する流量調整弁である。
【００３３】
流量センサ３３ａは、風呂注湯管３３を流れる湯の流量（浴槽Ｂに供給される湯の流量）を検出するものであり、検出される流量に合わせて後記する給湯循環ポンプ４４のモータの回転速度を調整する。
【００３４】
なお、前記給湯温度センサ２６は、分岐部Ｓの上流側に位置しており、一般給湯モード時と浴槽給湯モード時の給湯温度をそれぞれ検出する共有の温度センサとなっている。
【００３５】
給湯用加熱回路４０は、蓄熱タンク１０に貯留された熱媒体（湯水）を取り出して蓄熱タンク１０に戻すものであり、給湯熱交換器往き管４１と、給湯熱交換器戻り管４２，４３と、給湯循環ポンプ４４とで構成されている。
【００３６】
給湯熱交換器往き管４１は、蓄熱タンク１０内の熱媒体（湯水）を給湯熱交換器５０に供給する流路であり、上流端が蓄熱タンク１０の上部に接続され、下流端が給湯熱交換器５０の一次側の入口５１ｃに接続されている。
【００３７】
給湯熱交換器戻り管４２は、上流端が給湯熱交換器５０の一次側の出口５１ｄに接続され、下流端が給湯循環ポンプ４４の入口に接続されている。
【００３８】
給湯熱交換器戻り管４３は、上流端が給湯循環ポンプ４４の出口（吐出口）に接続され、下流端が蓄熱タンク１０の下部に接続されている。
【００３９】
給湯循環ポンプ４４は、コントローラ１００により駆動されることによって、蓄熱タンク１０内の上部から熱媒体（湯水，高温水）を取り出し、蓄熱タンク１０の下部に戻すようにして循環させるようになっている。
【００４０】
また、給湯循環ポンプ４４は、コントローラ１００によって図示しないモータの回転速度が制御されることにより、給湯熱交換器５０における二次側の給水への熱伝達率を変化させて、一般給湯モード時の給湯温度および浴槽給湯モード時の給湯温度などを調整するようになっている。換言すると、本実施形態では、給湯熱交換器５０によって熱交換された後の給湯（湯）について、給水と混合させて所望の給湯温度（湯）にするような混合弁を備えることはせず、蓄熱タンク１０から出た湯は、全量蓄熱タンク１０に戻すようになっている。
【００４１】
給湯熱交換器５０は、給水管２１から供給される水を、蓄熱タンク１０の上部から取り出した熱媒体（湯水）と熱交換させて、水を加熱するようになっている。生成された給湯は、給湯管２２を介して一般給湯に使用され、また風呂注湯管３１〜３５、風呂戻り管６１を介して浴槽給湯に使用される。
【００４２】
また、給湯熱交換器５０は、給水管２１，給湯管２２（風呂注湯管３１），給湯熱交換器往き管４１および給湯熱交換器戻り管４２との間において着脱自在に構成されている。つまり、仮に給湯熱交換器５０の交換が必要になったときには、蓄熱タンクユニット２から給湯熱交換器５０のみを取り外すことができるようになっている。
【００４３】
このように、本実施形態では、給湯用加熱回路４０が閉回路によって構成されているので、一般給湯端末Ａおよび浴槽Ｂに蓄熱タンク１０内の湯水を放出しないようになっている。言い換えると、一般給湯や浴槽給湯の際に蓄熱タンク１０内の湯水（熱媒体）を、二次側の給水を加熱するための熱媒体としてのみ利用するようになっている。
【００４４】
浴槽水循環回路６０は、浴槽Ｂに貯留された浴槽水を取り出して浴槽Ｂに戻すものであり、風呂戻り管６１と、風呂注湯管３３，３４と、追焚き熱交換器往き管６２と、風呂往き管６３と、風呂注湯管３５とで構成されている。このように浴槽水循環回路６０は、浴槽給湯回路３０の一部、つまり風呂注湯管３３の一部、風呂注湯管３４および風呂注湯管３５の一部と共有の配管となっている。
【００４５】
風呂戻り管６１は、浴槽Ｂから浴槽水を取り出す流路であり、上流端が浴槽Ｂに接続され、下流端が風呂注湯管３３に接続されている。
【００４６】
追焚き熱交換器往き管６２は、上流端が循環調整弁３９に接続され、下流端が追焚き熱交換器７０の入口に接続されて、浴槽水を追焚き熱交換器７０に送る流路となっている。
【００４７】
風呂往き管６３は、上流端が追焚き熱交換器７０の出口に接続され、下流端が風呂注湯管３５の途中に接続されて、追焚き熱交換器７０で熱交換された浴槽水を風呂注湯管３５に送る流路となっている。
【００４８】
風呂戻り管６１には、水位センサ６４，水流スイッチ６５，風呂温度センサ６６が設けられている。
【００４９】
水位センサ６４は、浴槽Ｂに貯留された浴槽水の水位を検知するものである。コントローラ１００は、例えば、浴槽給湯モード時に、水位センサ６４によって予め設定された水位に達したことを検知すると、浴槽給湯を停止するようになっている。
【００５０】
水流スイッチ６５は、追焚きモード時に浴槽水が流れているかどうかを検出するセンサであり、浴槽Ｂに貯留された浴槽水が風呂戻り管６１を矢印（図示上側）の方向に流れているか否かを検知する。
【００５１】
風呂温度センサ６６は、浴槽給湯モード時の浴槽水の温度，追焚きモード時の浴槽水の温度を検知するものである。
【００５２】
また、風呂往き管６３には、追焚き熱交換器７０で熱交換された後の浴槽水の温度を検知する追焚き温度センサ６７が設けられている。
【００５３】
追焚き熱交換器７０は、蓄熱タンク１０の上部に配設され、追焚き熱交換器往き管６２から導入された浴槽水（湯または水）と、蓄熱タンク１０内の熱媒体（湯水，高温の湯）とで熱交換を行い、風呂往き管６３に向けて供給するようになっている。
【００５４】
熱媒体導入回路８０は、給水タンク入り管８１，８２と減圧弁８３とで構成され、給水源から供給された給水を蓄熱タンク１０に導入する流路を構成している。すなわち、熱媒体導入回路８０は、時間の経過とともに蓄熱タンク１０内の熱媒体が減少した場合に補充を行う熱媒体補充回路である。
【００５５】
給水タンク入り管８１は、上流端が給水管２１の途中の分岐Ｐ１と接続され、下流端が減圧弁８３の一次側と接続されている。
【００５６】
給水タンク入り管８２は、上流端が減圧弁８３の二次側と接続され、下流端が給湯熱交換器戻り管４３と合流するように接続されている。
【００５７】
減圧弁８３は、給水の圧力（一次圧）を所定の圧力（二次圧）に減圧して、蓄熱タンク１０を保護するものである。減圧弁８３に設定される所定の圧力は、蓄熱タンク１０の強度に応じて適宜変更することができる。
【００５８】
逃し弁９０は、蓄熱タンク１０の耐圧を超えない所定圧になったときに開弁するものであり、コントローラ１００によって電気的に制御されるものではなく、前記所定圧に至ったときに機械的に開弁するように構成されたものである。よって、開弁後に蓄熱タンク１０内の圧力が所定圧を下回ったときには、自動的に閉弁するようになっている。
【００５９】
また、逃し弁９０は、逃し管９１に設けられている。逃し管９１は、一端が給湯熱交換器往き管４１に対して分岐するように接続され、他端が大気（外気）に開放している。なお、逃し弁９０は、機械的に動作するものに限定されず、蓄熱タンク１０内の圧力を検知する圧力センサを設けて、圧力センサの検出値に基づき（前記と同様な所定圧になったときに）逃し弁９０を電気的に開弁するものであってもよい。
【００６０】
また、蓄熱タンク１０と三方弁７との間のヒートポンプ往き管４には、排出弁９５を備えた排出管９６が接続されている。なお、排出弁９５は、例えば手動で開閉するものであり、蓄熱タンク１０内によごれが蓄積した場合、また給湯機１を長期間使用しない場合などに開弁させて、蓄熱タンク１０内の熱媒体（湯水）を外部に抜き取ることができるようになっている。
【００６１】
コントローラ１００は、ＣＰＵ（Central Processing Unit），ＲＯＭ（Read Only Memory），ＲＡＭ（Random Access Memory）などを備えて構成され、風呂循環ポンプ３８および給湯循環ポンプ４４のモータの回転速度、三方弁７の流路切り換え、流量調整弁３６および循環調整弁３９の流量、電磁弁３７の開閉をそれぞれ制御し、水流スイッチ６５による浴槽水の流れ、水位センサ６４による浴槽Ｂに貯留された浴槽水の水位，各種温度センサ１１〜１５，２５，２６，６６，６７による温度を取得する。
【００６２】
なお、コントローラ１００には、図示しない風呂リモコンや台所リモコンが有線または無線により接続され、風呂リモコンや台所リモコンに設けられた操作部の操作にしたがって、給湯循環ポンプ４４および風呂循環ポンプ３８，三方弁７，流量調整弁３６，電磁弁３７，循環調整弁３９が適宜制御される。
【００６３】
次に、本実施形態の給湯機１における沸き上げモード，一般給湯モード，浴槽給湯モード，追焚きモードについて説明する。沸き上げモードについては、図２を参照して、一般給湯モードについては、図３を参照して、浴槽給湯モードについては、図４を参照して、追焚きモードについては、図６を参照して説明する。なお、図２ないし図６において、太線で示す部分が熱媒体（湯水），水，湯が流れている状態を示している。また、図２については、沸き上げモードとタンク自動給水の状態をまとめて図示している。
【００６４】
図２に示すように、沸き上げモードの場合には、蓄熱タンク１０内の熱媒体（水）をヒートポンプユニット３によって沸き上げる。すなわち、蓄熱タンク１０の下部からヒートポンプ往き管４を介して熱媒体（水）をヒートポンプユニット３に送り、ヒートポンプユニット３によって温められた熱媒体（湯）を、ヒートポンプ戻り管５を介して蓄熱タンク１０の上部に戻すことで、蓄熱タンク１０内には、例えば、下部に低温水，中間部に中温水，上部に高温水が層状に貯留される。
【００６５】
図３に示すように、一般給湯モードの場合には、流量センサ２３によって一般給湯回路２０内の流れが検知されることによって運転が開始される。なお、このとき電磁弁３７は閉じている。すなわち、コントローラ１００の制御によって、一般給湯端末Ａ（蛇口など）が開動作されると、流量センサ２３によって一般給湯回路２０の流れが検知され、台所リモコンの操作部に設定された給湯温度の湯が一般給湯端末Ａから供給されるように、給湯循環ポンプ４４が駆動される。
【００６６】
詳述すると、給水温度センサ２５で検知された給水温度と流量センサ２３で検知された流量に基づいて、給湯温度センサ２６で検知される温度が目標温度となるように給湯循環ポンプ４４のモータの回転速度を調整する。このとき、給湯熱交換器５０の一次側を流れる熱媒体によって、二次側の給水が熱交換によって加熱される。そして、一般給湯端末Ａが閉動作されたことが流量センサ２３で検知されることにより、給湯循環ポンプ４４が停止する。
【００６７】
なお、給湯温度センサ２６での目標温度は、湯が給湯温度センサ２６から一般給湯端末Ａに到達するまでの間の温度低下等を考慮して、設定温度よりも高く設定される。ただし、このような制御に限定されるものではなく、目標温度が設定温度と同じであってもよい。
【００６８】
このように、本実施形態では、給湯循環ポンプ４４のモータの回転速度を制御することで一般給湯端末Ａから供給される湯の温度を調整しているので、給湯熱交換器５０の下流側に、給湯熱交換器５０で生成された給湯（湯）と、給湯熱交換器５０をバイパスして設けられた給水とを混合させて一般給湯端末Ａから供給させる混合弁を設けることが必須ではない。ただし、湯の温度をより精度よく調整する目的などで混合弁を設けるものであってもよい。
【００６９】
図４に示すように、浴槽給湯モードの場合には、例えば風呂リモコンの操作部に設けられた湯張り開始の操作スイッチの操作によって運転が開始される。なお、このとき、電磁弁３７が開弁し、循環調整弁３９が風呂注湯管３４と風呂注湯管３５とが連通するように設定されている。
【００７０】
このとき、図７に示すように、コントローラ１００からの指示により浴槽給湯回路出湯制御Ｓ１０が実行され、ステップＳ１０１に進む。ステップＳ１０１において、現在が出湯停止中か否かを判定する。現在が浴槽給湯回路３０への出湯停止中の場合（Ｓ１０１・ＹＥＳ）、浴槽給湯回路出湯制御Ｓ１０はステップＳ１０２に進む。一方、現在が浴槽給湯回路３０への出湯中の場合（Ｓ１０１・ＮＯ）、浴槽給湯回路出湯制御Ｓ１０はステップＳ１０３に進む。
【００７１】
ステップＳ１０２において、出湯開始指令がある場合（Ｓ１０２・ＹＥＳ）、浴槽給湯回路出湯制御Ｓ１０はステップＳ２０に進む。一方、出湯開始指令がない場合（Ｓ１０２・ＮＯ）、浴槽給湯回路出湯制御Ｓ１０を離脱し、コントローラ１００からの指示があるまで待機する。
【００７２】
ステップＳ１０３において、出湯停止指令がある場合（Ｓ１０３・ＹＥＳ）、浴槽給湯回路出湯制御Ｓ１０はステップＳ３０に進む。一方、出湯停止指令がない場合、（Ｓ１０３・ＮＯ）、浴槽給湯回路出湯制御Ｓ１０を離脱し、コントローラ１００からの指示があるまで待機する。
【００７３】
＜浴槽給湯開始時＞
浴槽Ｂへの給湯を開始する際は、流量調整弁３６の開度が全開よりも小さい状態で電磁弁３７を開けた後に、流量調整弁３６を開方向に制御する。具体的には、流量調整弁３６が閉じた状態で電磁弁３７を開けた後に、流量調整弁３６を開方向に制御する。以下、制御のフローを説明する。
【００７４】
図７に示すように、ステップＳ２０１において、コントローラ１００は電磁弁３７の開弁指令を出し、ステップＳ２０２に進む。
【００７５】
ステップＳ２０２において、電磁弁３７が完全に開いているか否かを判定する。電磁弁３７が完全に開いている場合（Ｓ２０２・ＹＥＳ）、浴槽給湯回路出湯開始制御Ｓ２０はステップＳ２０３に進む。一方、電磁弁３７が完全に開いていない場合（Ｓ２０２・ＮＯ）、浴槽給湯回路出湯開始制御Ｓ２０はステップＳ２０２にて電磁弁が完全に開くまで待機する。
【００７６】
ステップＳ２０３において、コントローラ１００は流量調整弁３６の開弁指令を出し、浴槽給湯回路出湯開始制御Ｓ２０を離脱する。
【００７７】
このように、浴槽給湯回路３０へ供給する湯水の流量を徐々に上げていくことで、浴槽給湯回路３０を構成する配管や、浴槽給湯回路３０に配置される構成部品に過度の圧力または衝撃を与えることなく湯水を供給することができる。また、浴槽給湯開始直後は、浴槽Ｂに供給される湯水の温度が設定温度から逸脱している場合があるが、上述した流量調整弁３６及び電磁弁３７の制御によれば、浴槽給湯開始直後は供給される湯水の量が少なくなるため、設定温度を逸脱した温度の湯水が浴槽Ｂに供給される量を少なくすることができる。
【００７８】
＜浴槽給湯終了時＞
浴槽Ｂへの給湯を終了する際は、流量調整弁３６を閉方向に制御した後に電磁弁３７を閉じる。具体的には、浴槽への給湯を終了するのに先立って流量調整弁３６を閉じた後に、電磁弁３７を閉じる。なお、浴槽給湯は、予め給湯量が設定されているものであるため、浴槽給湯を終了するタイミングを予め判断することができる。従って、浴槽Ｂへの給湯を終了するのに先立ってこのような制御が可能となる。以下、制御のフローを説明する。
【００７９】
図９に示すように、ステップＳ３０１において、コントローラ１００は流量調整弁３６の閉弁指令を出し、ステップＳ３０２に進む。
【００８０】
ステップＳ３０２において、流量調整弁３６が完全に閉じているか否かを判定する。流量調整弁３６が完全に閉じている場合（Ｓ３０２・ＹＥＳ）、浴槽給湯回路出湯停止制御Ｓ３０はステップＳ３０３に進む。一方、流量調整弁３６が完全に閉じていない場合（Ｓ３０２・ＮＯ）、浴槽給湯回路出湯停止制御Ｓ３０はステップＳ３０２にて流量調整弁３６が完全に閉じるまで待機する。
【００８１】
ステップＳ３０３において、コントローラ１００は電磁弁３７の閉弁指令を出し、浴槽給湯回路出湯停止制御Ｓ３０を離脱する。
【００８２】
このように、浴槽給湯回路３０へ供給する湯水の流量を徐々に下げていくことで、浴槽給湯回路３０を構成する配管や、浴槽給湯回路３０に配置される構成部品に過度の圧力または衝撃を与えることなく湯水の供給を終了することができる。
【００８３】
なお、浴槽給湯回路３０に配置される構成部品とは、例えば、流量センサ３３ａ，水位センサ６４，水流スイッチ６５，風呂温度センサ６６や、給湯熱交換器５０などである。各種センサは、過度の圧力や衝撃が加わると故障してしまうおそれがある。また、給湯熱交換器５０は、着脱可能に配管と接続されるものであるため、過度の圧力や衝撃や振動で接続部が緩んでしまうおそれがある。さらに、各種配管は、溶接によって他の配管等と接続されるものであるが、過度の圧力や衝撃や振動で溶接部分が劣化するおそれがある。この点、上述した流量調整弁３６及び電磁弁３７の制御によれば、そのような事態を防止することができる。本実施形態の給湯機は、タンク内の温水を浴槽に給湯する方式の一般的な給湯機に比べて水圧を高くすることができる一方、瞬間的に電磁弁を閉めた際の圧力や衝撃が前記一般的な給湯機に比べて高くなりやすいため、上述した流量調整弁３６及び電磁弁３７の制御は特に有効である。
【００８４】
また、浴槽給湯の際、一次側では次のように給湯循環ポンプ４４が制御される。具体的には、運転が開始されると、設定された湯張り温度の湯が浴槽Ｂに供給されるように、給湯循環ポンプ４４が駆動される。詳述すると、給水温度センサ２５で検知される給水温度と流量センサ３３ａによって検知された流量に基づいて、給湯温度センサ２６で検知される温度が目標温度となるように、給湯循環ポンプ４４を制御する。
【００８５】
これにより、給水管２１から給湯熱交換器５０を介して生成された湯が、主に風呂注湯管３１〜３３および風呂戻り管６１を通って浴槽Ｂに供給されるとともに、一部が風呂注湯管３３〜３５を通って浴槽Ｂに供給される。このように、浴槽給湯モードの際には、風呂戻り管６１を湯が逆方向に流れるようになっている。そして、浴槽Ｂに所定量の湯が貯留されたことが水位センサ６４によって検知されることで、給湯循環ポンプ４４が停止して、湯張りが終了する。
【００８６】
ところで、前記流量調整弁３６及び電磁弁３７は、浴槽への給湯が行われていないときは、閉じた状態に制御される。これにより、電源投入時や停電後の電源復帰時に前記流量調整弁３６及び電磁弁３７が閉じた状態となっているため、電源投入後や停電から電源復帰後に初めて浴槽給湯する際にウォータハンマ現象が発生するのを防止することができる。
【００８７】
なお、浴槽給湯モードとしては、湯張りのほか、設定温度と同等の湯を追加する足し湯、設定温度よりも高い温度の湯を追加して浴槽Ｂの温度を上げる差し湯といった、給水源からの給水を加熱して浴槽Ｂに給湯する各種の給湯態様も含まれる。また、この他に、給水を給湯熱交換器５０で加熱せずに浴槽Ｂへ供給する差し水といった給湯態様がある。
【００８８】
また、浴槽給湯モード時に一般給湯端末Ａが開動作された場合や、一般給湯モード時に浴槽給湯が開始された場合などのように、一般給湯と浴槽給湯とが同時に行われる場合には、以下のような制御を行う。図１０には、浴槽給湯中に一般給湯が開始された際の制御フローを示し、図１１には、一般給湯中に浴槽給湯が開始された際の制御フローを示す。なお、前記コントローラ１００は、流量センサ２３及び水流スイッチ６５のどちらにおいても流れを検知した場合に、同時に給湯されていると判断する。
【００８９】
コントローラ１００は、一般給湯設定温度が浴槽給湯設定温度を含む所定の温度範囲内である場合には、一般給湯端末Ａと浴槽Ｂとに同時に湯を供給し、一般給湯設定温度が前記所定の温度範囲外である場合には、流量調整弁３６を閉とする。
【００９０】
これは、そもそも一般給湯設定温度と浴槽給湯設定温度とが同じであれば、浴槽給湯設定温度と実際の浴槽給湯温度とが相違しないため、給湯を停止する必要がないためである。また、一般給湯設定温度と浴槽給湯設定温度とが異なる場合であっても、その温度差が小さい場合には、浴槽給湯設定温度から大幅に逸脱した温度の湯が浴槽Ｂに供給されることはないためである。また仮に、浴槽給湯設定温度と異なる温度の湯が浴槽Ｂに供給されたとしても、浴槽給湯の終了時に温度調整（追焚や差水等）を行う場合には、温度の調整を比較的容易に行うことができるためである。
【００９１】
一方、一般給湯設定温度が前記所定の温度範囲外である場合に流量調整弁３６を閉とするのは、浴槽給湯設定温度から大幅に逸脱した温度の湯が浴槽Ｂに供給されることによる不都合を防止するためである。この場合の不都合とは、例えば、浴槽給湯設定温度から大幅に逸脱した温度の湯が浴槽Ｂに供給されることで利用者が不快感を感じることや、浴槽給湯の終了時に行われる温度調整（追焚や差水等）により温度の調整を行うことが困難となることなどである。
【００９２】
このように、一般給湯設定温度と浴槽給湯設定温度との温度差が小さい場合には、給湯温度の正確さよりも、給湯を継続することによる利便性を優先し、温度差が大きい場合には、利便性よりも給湯温度の正確さを優先している。
【００９３】
具体的には、前記所定の温度範囲は、一般給湯設定温度をＴａ、浴槽給湯設定温度をＴｂとすると、以下の式で表される。
Ｔｂ−２℃≦Ｔａ≦Ｔｂ＋１℃
【００９４】
例えば、浴槽給湯設定温度が４０℃の場合、一般給湯設定温度が３８℃〜４１℃であれば、一般給湯と浴槽給湯とを同時に行う。なお、前記所定の温度範囲は、この数値範囲に限定されるものではない。
【００９５】
また、一般給湯設定温度が浴槽給湯設定温度を含む所定の温度範囲内であって一般給湯と浴槽給湯とを同時に行う場合には、一般給湯及び浴槽給湯の目標温度は一般給湯設定温度に応じて決定される。ただし、これに限定されるものではなく、一般給湯及び浴槽給湯の目標温度が浴槽給湯設定温度に応じて決定されるものであってもよく、例えば一般給湯設定温度及び浴槽給湯設定温度の平均温度を目標温度するといったように、一般給湯設定温度及び浴槽給湯設定温度の双方に基づいて決定されるものであってもよい。
【００９６】
なお、流量調整弁３６を閉とする場合、流量調整弁３６を全閉にすることが好ましいが、実質的に浴槽給湯が中断される開度であれば足り、例えば、後述する所定の同時給湯時下限開度より小さい開度に調整するものであってもよい。
【００９７】
また、コントローラ１００は、図５に示すように、一般給湯端末Ａと浴槽Ｂとに同時に湯を供給する際に湯供給部（即ち、給湯熱交換器５０）の給湯能力が不足する場合、流量調整弁３６を閉方向に制御する。即ち、浴槽給湯回路３０には一般給湯設定温度の湯を給湯熱交換器５０の加熱能力を超えない範囲で供給する。そして、給湯能力が不足する場合には、あくまでも一般給湯端末Ａを優先、つまり体感的に感じられる一般給湯端末Ａを優先して、浴槽Ｂの湯張りを絞る動作を行う。
【００９８】
このようにすることで、仮に給湯能力が不足する場合であっても、流量調整弁３６を閉方向に制御して浴槽給湯量を少なくすることにより、一般給湯量を少なくすることなく全給湯量を少なくすることができる。従って、例えば、使用者がシャワーを使用したり、台所での洗い物を行っている場合であっても、使用者が不便さを感じるのを防止又は軽減することを防止できる。
【００９９】
また、流量調整弁３６は、一般給湯端末Ａと浴槽Ｂとに同時に湯を供給する際に、全開よりも小さい所定の同時給湯時上限開度以下で開度制御される。そして、コントローラ１００は、一般給湯端末Ａと浴槽Ｂとに同時に湯を供給する状態を検知すると、流量調整弁３６を同時給湯時上限開度に開度制御する。
【０１００】
このように、一般給湯端末Ａと浴槽Ｂとに同時に湯を供給する際に、流量調整弁３６を全開よりも小さい所定の同時給湯時上限開度以下で開度制御することにより、使用者が不便さを感じるのをより確実に防止又は軽減することができる。詳細に説明すると、例えば、一般給湯端末Ａの方が浴槽Ｂよりも給湯機からの配管距離が長くて圧損が大きく、一般給湯端末Ａの方に湯が流れにくい場合等などでは、浴槽Ｂの方により多くの湯が流れてしまい、結果的に一般給湯量が少なくなってしまうおそれがある。この点、上記構成によれば、同時給湯時に初めから浴槽Ｂへの給湯量を少なくすることにより、一般給湯端末Ａへの給湯量を一定量以上確保することができる。
【０１０１】
具体的には、例えば、浴槽単独給湯時には１８〜２０Ｌ／分程度の流量であるとして、同時給湯開始時に５Ｌ／分程度の流量となるように流量調整弁を制御する。
【０１０２】
また、流量調整弁３６は、一般給湯端末Ａと浴槽Ｂとに同時に湯を供給する際に、全閉状態よりも大きい所定の同時給湯時下限開度以上で開度制御され、コントローラ１００は、流量調整弁３６の開度が前記同時給湯時下限開度の状態において給湯熱交換器５０の給湯能力が不足する場合、流量調整弁３６を閉とする。
【０１０３】
このように、流量調整弁３６の開度制御範囲に同時給湯時下限開度を設けることにより、小流量時の不都合を防止することができる。例えば、浴槽Ｂへの給湯量が少なくなると、流速が低下して浴槽給湯回路３０を通過する時間が長くなってしまい、湯が配管を通過する際の放熱ロスが大きくなってしまうが、そのようなことを防止できる。また、浴槽給湯回路３０上に配置される水流スイッチ６５は、所定の流量以下となると正確な検知ができなくなるおそれがあるが、そのようなことを防止できる。具体的には、同時給湯時下限開度は、例えば、１Ｌ／分程度の流量となる開度に設定される。
【０１０４】
即ち、流量調整弁３６は、一般給湯端末Ａと浴槽Ｂとに同時に湯を供給する際に、全開よりも小さい所定の同時給湯時上限開度と、全閉よりも大きい所定の同時給湯時下限開度との開度範囲で開度制御されるものである。
【０１０５】
また、コントローラ１００は、給湯温度センサ２６で検知される給湯温度が目標温度に満たない場合に、給湯熱交換器５０の給湯能力が不足していると判断する。
【０１０６】
このようにすれば、給湯能力不足を容易に検知することができる。ただし、これに限定されるものではなく、一次側の熱媒体の温度と、二次側の給水の温度と、一般給湯設定温度及び／又は浴槽給湯設定温度とから必要熱量を演算し、これを給湯熱交換器５０の給湯能力と比較することにより、給湯能力不足を判断するものであっても良い。
【０１０７】
このとき、コントローラ１００は、給湯温度センサ２６で検知される給湯温度が一般給湯の目標温度となるように流量調整弁３６の開度を制御する。
【０１０８】
そして、給湯終了時（即ち、設定湯はり量または設定水位まで浴槽に給湯した後）に、浴槽温度が設定浴槽温度より低い場合には、浴槽温度が設定浴槽温度になるまで自動的に追焚き運転をしてもよい。
【０１０９】
なお、このような場合、流量調整弁３６を全閉にして、浴槽給湯回路３０への湯の流量を完全に停止させてもよい。また、浴槽給湯回路３０への湯の流量を完全に停止させる方法としては、電磁弁３７を閉とするものであってもよい。
【０１１０】
なお、浴槽給湯モード時に一般給湯端末Ａが開動作されて、一般給湯端末Ａへの給湯を優先するために電磁弁３７を閉とする場合にも、上述した浴槽給湯終了時の電磁弁３７の制御を利用することができる。同様に、一般給湯端末Ａの使用が終了した後浴槽給湯を再開する場合にも、上述した浴槽給湯開始時の電磁弁３７の制御を利用することができる。
【０１１１】
このように、浴槽給湯モード時に一般給湯端末Ａからの給湯要求がなされた場合の浴槽給湯の調整（絞り）については、給湯機１の給湯能力（蓄熱タンク１０の容積，給湯圧，給湯熱交換器５０の熱交換能力など）に応じて適宜変更することができる。例えば、給湯能力が低い給湯機であれば、一般給湯端末Ａからの給湯要求が停止するまで浴槽への給湯を停止するように構成できる。
【０１１２】
図６に示すように、追焚きモードの場合には、例えば風呂リモコンの操作部に設けられた追焚きスイッチの操作によって運転が開始される。まず、電磁弁３７が閉じられた状態において、循環調整弁３９の開度が風呂注湯管３４から風呂注湯管３５側に全開となるように設定され、風呂循環ポンプ３８が駆動される。これにより、浴槽Ｂに貯留された浴槽水が、風呂戻り管６１，風呂注湯管３３，３４，３５を介して循環する。
【０１１３】
そして、循環調整弁３９が追焚き熱交換器往き管６２側へと徐々に開くように制御され、風呂注湯管３５内の温度が所定温度（例えば、６０℃）になるように風呂温度センサ６６と追焚き温度センサ６７の検出温度から予測しながら循環調整弁３９の開度が制御される。そして、風呂温度センサ６６で検知される温度（浴槽水の温度）が設定温度になったら、風呂循環ポンプ３８を停止して追焚きモードを終了する。
【０１１４】
なお、浴槽給湯モードおよび追焚きモードにおいても、一般給湯モードと同様に、追焚き温度センサ６７で検知される温度と、浴槽Ｂの浴槽水の温度との差を考慮して、目標温度よりも高く設定される。ただし、これに限定されず、目標温度が設定温度と同じであってもよい。
【０１１５】
また、追焚きモード時に一般給湯端末Ａが開動作された場合には、図３で説明した一般給湯モードの制御と同様に、給水温度センサ２５の温度と流量センサ２３の流量に基づいて、給湯温度センサ２６の温度が目標温度となるように、給湯循環ポンプ４４が制御される。
【０１１６】
ところで、図４において説明した沸き上げモードでは、蓄熱タンク１０内の水の温度が上昇することで、蓄熱タンク１０内の圧力が上昇する。蓄熱タンク１０の上部に設けられた逃し弁９０は、蓄熱タンク１０の圧力が耐圧を超える圧力に近づいたとき（蓄熱タンク１０の耐圧を超えないように予め設定された値のとき）に逃し弁９０が自動的に開弁する。これにより、蓄熱タンク１０内の熱媒体（体積膨張分の湯水）が外部に排出されることになる。
【０１１７】
以上説明したように、本実施形態の給湯機１によれば、蓄熱タンク１０内の湯水を一般給湯や浴槽給湯に用いることがない、つまり蓄熱タンク１０内の湯は、全量蓄熱タンク１０に戻るように構成されているので、硬度の高い水道水，井戸水や地下水などの硬度の高い水を使用することが可能になる。しかも、このような高硬度の水を使用したとしても、給湯機１内の水路の高温部（ヒートポンプユニット３，給湯熱交換器５０など）にスケールによる配管の詰まりが生じるのを防止することができる。その結果、蓄熱タンク１０内の熱媒体として、特殊な液体ではなく、一般給湯や浴槽給湯などに使用している給水と同様の水を使用しているので、蓄熱タンク１０内に熱媒体を補充する際の取り扱いが容易になる。
【０１１８】
また、本実施形態の給湯機１によれば、一般給湯回路２０および浴槽給湯回路３０が、給湯熱交換器５０の下流において分岐部Ｓを介して形成され、分岐部Ｓの下流に流量調整弁３６が設けられている。これにより、浴槽給湯モード時に一般給湯モードが作動して、流量調整弁３６が絞られる方向に制御されたとしても、一般給湯回路２０側の給湯の流量が連動して絞られるのを防止することができる。
【０１１９】
また、本実施形態では、密閉式の蓄熱タンク１０を例に挙げて説明したが、密閉式のものに限定されず、開放型の蓄熱タンクであってもよい。開放型の蓄熱タンクの場合には、主に蒸発によって蓄熱タンク１０内の熱媒体が減少する状況が生じる。開放型のタンクにすることで、それに伴う付随設備は必要になるが、蓄熱タンク１０を円筒状ではなく、四角筒状にすることができ、デッドスペースを無くすことができる。その結果、給湯機全体を小型化することができる。しかも、高い強度が不要になり、板厚などを薄くすることができる。なお、開放型の蓄熱タンクの場合には、蓄熱タンク１０に給水を補充すべく開制御される電磁弁を設ける構成が考えられる。
【０１２０】
また、本実施形態では、蓄熱タンク１０内の湯水をタンク上部から取り出すように構成したが、これに限定されるものではなく、蓄熱タンク１０の鉛直方向の中間部に熱媒体の取り出し部を追加して設けて、蓄熱タンク１０の上部と中間部とから切換弁を介して適宜取り出すようにしてもよい。
【０１２１】
なお、本発明に係る給湯機及び給湯システムは、上記実施形態の構成に限定されるものではなく、発明の趣旨を逸脱しない範囲内で種々の変更が可能である。
【０１２２】
例えば、浴槽給湯回路上に流量調整弁が備えられる給湯機であればどのような方式のものであっても適用可能である。即ち、タンク内の湯水をヒータで加熱する方式の給湯機や、ガスや石油等の燃料を燃焼させて熱交換器で加熱した温水を給湯する方式の給湯機にも適用可能である。また、タンク内の温水を出湯する方式の給湯機の場合であっても、タンクからの出湯配管の太さやタンク内部の圧力によって出湯量に限度があるため、同時給湯時に給湯能力の不足が生じ得る。従って、タンク内の温水を浴槽に給湯する方式の給湯機にも適用可能である。
【０１２３】
即ち、上記給湯機は、本実施形態に係る給湯機とは給湯方式が異なるものの、湯供給部を有するものである点で共通する。タンク内の温水を浴槽に給湯する方式の給湯機の場合には、タンクが湯供給部に相当し、ガスや石油等の燃料を燃焼させて熱交換器で加熱した温水を給湯する方式の給湯機の場合には、熱交換器が湯供給部に相当する。なお、タンク内の温水を浴槽に給湯する方式の給湯機の場合には、タンク内の温水と給水とを混合弁によって混合して一般給湯端末や浴槽に給湯するものが一般的であるが、この場合であっても、混合後の温水温度である給湯温度が目標温度に満たない場合に給湯能力が不足していると判断することができる。
【０１２４】
また、上記実施形態においては、一般給湯設定温度が浴槽給湯設定温度を含む所定の温度範囲内である場合には、前記一般給湯端末と浴槽とに同時に湯を供給し、この同時給湯の際に湯供給部の給湯能力が不足する場合、前記流量調整弁を閉方向に制御するものであった。これに関し、上記実施形態のように「湯供給部の給湯能力が不足する場合、前記流量調整弁を閉方向に制御する」という発明とは別に、「コントローラは、一般給湯設定温度が浴槽給湯設定温度を含む所定の温度範囲内である場合には、一般給湯端末と浴槽とに同時に湯を供給し、一般給湯設定温度が前記所定の温度範囲外である場合には、浴槽給湯を停止する」という発明を抽出することができる。その場合、浴槽給湯を停止する方法としては、上記実施形態のように、流量調整弁を閉とするものの他、電磁弁を閉とするものであってもよい。またこの場合には、流量調整弁及び電磁弁を両方設けるものであってもよく、何れか一方のみが設けられるものであってもよい。
【０１２５】
また、上記実施形態においては、給湯熱交換器５０の給湯能力不足を判断するに際して、分岐部Ｓよりも上流側に設けられる給湯温度センサ２６を用いるものとして説明したが、これに限定されるものではなく、例えば、一般給湯回路及び浴槽給湯回路の少なくとも何れか一方における分岐部Ｓよりも下流側に給湯温度センサを設け、これを用いて給湯能力不足を判断するものであってもよい。なお、給湯熱交換器５０の給湯能力不足の場合には一般給湯が優先されることから、分岐部Ｓよりも下流側に給湯温度センサを設ける場合には、一般給湯回路に給湯温度センサを設けることが好ましい。
【符号の説明】
【０１２６】
１  給湯機
２  蓄熱タンクユニット
３  ヒートポンプユニット
１０  蓄熱タンク
２０  一般給湯回路
３０  浴槽給湯回路
３６  流量調整弁
３７  電磁弁
４０  給湯用加熱回路
５０  給湯熱交換器（給湯用熱交換器）
６０  浴槽水循環回路
７０  追焚き熱交換器（浴槽用熱交換器）
Ａ  一般給湯端末
Ｂ  浴槽
Ｓ  分岐部
【図１】
0005577225.tif 000002
【図２】
0005577225.tif 000003
【図３】
0005577225.tif 000004
【図４】
0005577225.tif 000005
【図５】
0005577225.tif 000006
【図６】
0005577225.tif 000007
【図７】
0005577225.tif 000008
【図８】
0005577225.tif 000009
【図９】
0005577225.tif 000010
【図１０】
0005577225.tif 000011
【図１１】
0005577225.tif 000012